(57)【要約】【課題】  本発明は、光源を増やすことなくコーナー部に発光斑の生じない看板を提供することにある。【解決手段】  本体枠１，１０とコーナー枠２と開閉枠３とを備え、本体枠１，１０は、ＬＥＤ５を有し、開閉枠３は、四周枠組みしたものであり、表示シート６と反射板７を有するとともに本体枠１，１０とコーナー枠２に跨って開閉自在に取り付けてあり、表示シート６は、開閉枠３の縦枠３ｃ先端間に張設してあるとともに、表示シート６の背面とコーナー枠２側の縦枠３ｃとの間に空間Ｓが設けてあり、反射板７は、開閉枠３のコーナー枠２側の縦枠３ｃと表示シート６との間に設けてあるとともに、コーナー枠２側の縦枠３ｃ先端から縦枠３ｃを越えて本体枠１，１０側且つＬＥＤ５に向けて傾斜して伸びており、ＬＥＤ５は、反射板７の延長線Ｌ上近傍で且つ中央部側に設けてあることを特徴とする。【選択図】      図１
2013114183.tif 000002
【特許請求の範囲】
【請求項１】
本体枠とコーナー枠と開閉枠とを備え、本体枠は、ＬＥＤを有し、開閉枠は、四周枠組みしたものであり、表示シートと反射板を有するとともに本体枠とコーナー枠に跨って開閉自在に取り付けてあり、表示シートは、開閉枠の縦枠先端間に張設してあるとともに、表示シートの背面とコーナー枠側の縦枠との間に空間が設けてあり、反射板は、開閉枠のコーナー枠側の縦枠と表示シートとの間に設けてあるとともに、コーナー枠側の縦枠先端から縦枠を越えて本体枠側且つＬＥＤに向けて傾斜して伸びており、ＬＥＤは、反射板の延長線上近傍で且つ中央部側に設けてあることを特徴とする看板。
【発明の詳細な説明】
【技術分野】
【０００１】
本発明は、照明を有する看板に関するものである。
【背景技術】
【０００２】
コンビニエンスストアー等に設置される看板は、図５のように、躯体の正面側に取り付け且つ光源となる蛍光管３４を有する本体枠３１と、本体枠３１と隣接して躯体のコーナー部に取り付けるコーナー枠３２と、本体枠３１とコーナー枠３２に跨って取り付けるとともに表示シート３５を有する開閉枠３３とを備えるものであり、夜間においては、蛍光管３４の発光により表示シート３５を照らすものであった。
【先行技術文献】
【特許文献】
【０００３】
特開２００５−３７８０号公報
【発明の概要】
【発明が解決しようとする課題】
【０００４】
上記のような従来の看板では、本体枠に設けてある蛍光管の光を取り入れて開閉枠に取り付けてある表示シートを光らせるものであったが、コーナー枠においては、図５中の矢印を参照すれば、コーナー部まで均一に照らせずに表示シートのコーナー枠側の箇所が暗くなり、さらに、開閉枠の縦枠や看板内部の装置等が影となって表示シートに発光斑が生じる問題があり、コーナー枠に新たに光源を設ける等、対策を施す必要があったことからコストが増大するものであった。本発明は、上記課題を鑑みてなされたものであり、光源を増やすことなくコーナー部に発光斑の生じない看板を提供することにある。
【課題を解決するための手段】
【０００５】
本発明は、本体枠とコーナー枠と開閉枠とを備え、本体枠は、ＬＥＤを有し、開閉枠は、四周枠組みしたものであり、表示シートと反射板を有するとともに本体枠とコーナー枠に跨って開閉自在に取り付けてあり、表示シートは、開閉枠の縦枠先端間に張設してあるとともに、表示シートの背面とコーナー枠側の縦枠との間に空間が設けてあり、反射板は、開閉枠のコーナー枠側の縦枠と表示シートとの間に設けてあるとともに、コーナー枠側の縦枠先端から縦枠を越えて本体枠側且つＬＥＤに向けて傾斜して伸びており、ＬＥＤは、反射板の延長線上近傍で且つ中央部側に設けてあることを特徴とする。
【発明の効果】
【０００６】
本発明によれば、反射板を開閉枠のコーナー枠側の縦枠と表示シートとの間に設けるとともに、コーナー枠側の縦枠先端から縦枠を越えて本体枠側且つＬＥＤに向けて傾斜して伸びるようにし、さらに、ＬＥＤを反射板の延長線上近傍で且つ中央部側に設けることにより、反射板によって本体枠のＬＥＤからの光を誘導してコーナー部先端に集めることができるので、コーナー枠にＬＥＤを設置することなく、表示シートのコーナー枠側の全体を照らすことができて表示シートの全面を明るく均一に表示する。また、コーナー枠にＬＥＤを新たに設置する必要がないことから、設置コストや電力使用量の抑制を図ることができる。
【図面の簡単な説明】
【０００７】
【図１】（ａ）は、（ｂ）中Ａ−Ａ線を断面し、本実施による看板のコーナー部周囲の構造を示す横断面図であり、（ｂ）は、本実施による看板の全体を示す斜視図である。
【図２】図１中（ｂ）Ｂ−Ｂ線断面図である。
【図３】本実施による看板の分解斜視図である。
【図４】本実施による看板の光の反射状態を示す一部を拡大した横断面図である。
【図５】従来の看板を示す一部を拡大した横断面図である。
【発明を実施するための形態】
【０００８】
以下に、図面に基づいて本実施による看板の実施の形態を説明する。
本実施による看板は、図１（ａ）（ｂ）と図２のように、正面枠（本体枠）１とコーナー枠２と開閉枠３とからなっており、正面枠１とコーナー枠２は、躯体にアンカー１２で固定してある。正面枠１は、図３のように、上枠１ａと下枠１ｂと縦枠１ｃとからなる三方枠であり、三方枠の内周の躯体側に取り付ける基板４と、基板４の外側面の全面に多数配置するＬＥＤ５とからなっている。また、本実施のＬＥＤ５は、正面に向かう他、上下左右方向にも発光するタイプのものが使用してある。コーナー枠２は、上下に配置する略Ｌ字型をなすコーナー上枠２ａ及びコーナー下枠２ｂと、コーナー上枠２ａとコーナー下枠２ｂの間をつなぐコーナー縦枠２ｃとからなっており、コーナー上枠２ａは、正面枠１の上枠１ａに、また、コーナー下枠２ｂは、正面枠１の下枠１ｂにそれぞれ連結材１３で連結するとともに、コーナー縦枠２ｃには、コーナー縦枠２ｃから斜め外側に突出するカバー材支持金具２ｄが取り付けてある。開閉枠３は、上枠３ａと下枠３ｂと縦枠３ｃとからなる四周枠と、その四周枠の内周側に複数取り付ける補強縦材３ｄと、表示シート６と、反射板７とからなり、正面枠１とコーナー枠２に跨る状態で複数の蝶番８により、正面枠１及びコーナー枠２に開閉自在に取り付けてある。さらに、開閉枠３のコーナー枠２側の縦枠３ｃは断面略三角形状をなしており、縦枠３ｃの外側見付面が縦枠３ｃ外周側から縦枠３ｃ内周側に向けて正面枠１側に傾斜している。また、開閉枠３の四周外周部には、表示シート６を取り付けるための溝部１４がそれぞれ設けてある。表示シート６は、横長矩形状をなしており、軟性の塩化ビニール樹脂等で成形してあり可撓性を有している。表示シート６と開閉枠３の取り付けは、表示シート６で開閉枠３の正面側及び四周外周部をすべて覆うとともに、開閉枠３の各溝部１４にシート押さえ材９を入れてそれぞれをネジ止めすることにより、シート押さえ材９と開閉枠３との間に表示シート６の上下左右の各端部を挟み込んで取り付けてある。また、開閉枠３の外周部には、開閉枠側カバー材１５がネジ止めしてあり、シート押さえ材９や表示シート６の端部を隠蔽している（図１（ａ）及び図２参照）。また、図３を参照すれば、正面枠１とコーナー枠２の外周部にはカバー材１１が取り付けてあり、正面枠１とコーナー枠２の継目やネジ等を隠蔽して看板の外観を損ねないものとなっている。また、カバー材１１，１１ａのうち、看板のコーナー部を隠蔽するカバー材１１ａは、図１（ａ）を参照すれば、開閉枠３を閉塞した状態でコーナー枠２のカバー材支持金具２ｄの外側先端部にネジ止めしてあり、開閉枠３と側面枠１０側の開閉枠３との隙間を隠蔽している。尚、符号１０は、躯体の側面側に設置してコーナー枠２と連結する側面枠（本体枠）であり、上記した正面枠１と略同一の構造をなすため、詳細な説明については省略する。また、正面枠１とコーナー枠２のみから看板を構成するものもあるので、側面枠１０は必ずしも設置されない。また、側面枠１０を取り付けないときには、コーナー枠２の躯体側面側の側端部が露出することから、コーナー枠２の側端部に、側面枠１０に取り付けてあるカバー材１１を取り付けることで躯体側面側の側端面を隠蔽する。さらに、コーナー枠２と側面枠１０に跨って取り付けてある開閉枠３は、コーナー枠２のみに取り付けることから、コーナー枠２の幅寸法に合わせて幅寸法の短いものを取り付ける。
【０００９】
反射板７は、正面視略矩形で且つ外側見付面に反射面となる光沢のある金属板を使用しており、図１（ａ）のように、開閉枠３のコーナー枠２側の縦枠３ｃの外側見付面にネジ止めしてあり、開閉枠３のコーナー枠２側の縦枠３ｃと表示シート６の間の空間Ｓに位置するとともに、コーナー枠２側の縦枠３ｃ先端から縦枠３ｃを越えて本体枠側且つＬＥＤ５に向けて傾斜して伸びている。また、本実施の看板は、反射板７の延長線Ｌ上近傍で且つ本体枠１の中央部側にＬＥＤ５が位置するように配置してあることから、図４のように、ＬＥＤ５からの光が反射板７の反射面に沿ってコーナー枠２側の縦枠３ｃ先端のほうに誘導されて、表示シート６のコーナー枠２側の空間Ｓに光を効率的に集める。さらに、ＬＥＤ５から表示シート６及び正面枠１やコーナー枠２、開閉枠３の形材に反射した光についても、再び反射板７の反射面に反射することにより、反射を繰り返しながらコーナー枠２側の空間Ｓに光が効率的に集まるので、表示シート６のコーナー枠２側の箇所は、発光斑が生じずに表示シート６の中央部側と遜色なく均一な表示状態となる。
【００１０】
上記各実施形態では、ＬＥＤ５が反射板７の延長線Ｌ上近傍で且つ本体枠１の中央部側に設けてあるものとして、ＬＥＤ５のコーナー枠２側の端部が反射板７の延長線Ｌ上にあるものを挙げたが、図１中の側面枠１０に配置するＬＥＤ５のように、ＬＥＤ５が反射板７の延長線Ｌ上にあり且つＬＥＤ５の中央が本体枠１，１０の中央部側に寄って位置してもよい。また、反射板７は、上記実施形態のように本体枠１，１０とコーナー枠２との継目まで伸びているものでもよいが、ＬＥＤ５と近接する位置まで伸びているものでもよい。さらに、看板を形成する形材の色は、白色または銀色等でＬＥＤ５からの光が反射しやすくしてある。また、反射板７は、上記のように開閉枠３の縦枠３ｃに取り付けるものの他、開閉枠３の上枠３ａと下枠３ｂで支持してもよい。また、開閉枠３が開閉することにより、本体枠１，１０やコーナー枠２の内部のメンテナンスがしやすくなる。
【符号の説明】
【００１１】
１  正面枠（本体枠）
２  コーナー枠
３  開閉枠
３ｃ  縦枠
５  ＬＥＤ
６  表示シート
７  反射板
１０  側面枠（本体枠）
Ｌ  反射板の延長線
Ｓ  空間
【図１】
2013114183.tif 000003
【図２】
2013114183.tif 000004
【図３】
2013114183.tif 000005
【図４】
2013114183.tif 000006
【図５】
2013114183.tif 000007